(57)【要約】【課題】従来の眼鏡にも簡単に取り付けることができながら、ファッション性に富んだ眼鏡バランサを得る。【解決手段】眼鏡フレーム１の左右の各テンプル２の後端部３に着脱自在に外嵌装着される左右一対の取付部材５と、各取付部材５の後端に接続される鎖６とを有する。各取付部材５は、弾性変形可能であって、前面が開口する円筒形状に形成されている。各テンプル２の後端部３に、取付部材５をこれの開口前面側から押し込み装着できる。各テンプル２の後端部３に、鎖６が各テンプル２の後端よりも後方に位置する状態で各取付部材５を介して取り付けられる。【選択図】図１
0003108143.tif 000002
【実用新案登録請求の範囲】
【請求項１】
眼鏡フレーム（１）の左右の各テンプル（２）に着脱自在に装着される左右一対の取付部材（５・１６）と、各取付部材（５・１６）にそれぞれ接続される鎖（６）とを含み、
各テンプル（２）に、鎖（６）が各テンプル（２）の後端よりも後方に位置するよう取付部材（５・１６）を介して取り付けられるようにしたことを特徴とする眼鏡バランサ。
【請求項２】
眼鏡フレーム（１）の左右の各テンプル（２）の後端部（３）に着脱自在に外嵌装着される左右一対の取付部材（５）と、各取付部材（５）の後端に接続される鎖（６）とを含み、
各取付部材（５）が、弾性変形可能であって、前面が開口する筒状に形成されており、
各テンプル（２）の後端部（３）に、取付部材（５）がこれの開口前面側から押し込み装着でき、
各テンプル（２）の後端部（３）に、鎖（６）が各テンプル（２）の後端よりも後方に位置する状態で、各取付部材（５）が取り付けられるようにしたことを特徴とする眼鏡バランサ。
【請求項３】
前記鎖（６）が左右一対の鎖片（７）に分割されていて、各鎖片（７）の上端が各取付部材（５）にそれぞれ接続されており、
左右の鎖片（７）の下端どうしが、止め具（９）によって着脱自在に連結できる請求項２記載の眼鏡バランサ。
【請求項４】
眼鏡フレーム（１）の左右の各テンプル（２）に装着される左右一対の取付部材（１６）と、各取付部材（１６）にそれぞれ接続される鎖（６）とを含み、
各取付部材（１６）は、テンプル（２）に着脱自在に取り付けられる係止部（１７）と、係止部（１７）からテンプル（２）の後方へ延びるアーム（１９）とを含み、
前記鎖（６）が、アーム（１９）の後端に接続されていることを特徴とする眼鏡バランサ。
【請求項５】
前記鎖（６）が左右一対の鎖片（７）に分割されていて、各鎖片（７）の上端が前記アーム（１９）にそれぞれ接続されており、
左右の鎖片（７）の下端どうしが、止め具（９）によって着脱自在に連結できる請求項４記載の眼鏡バランサ。
【請求項６】
一方の前記鎖片（７）の下端に、装飾具（１２）が配されている請求項３または５記載の眼鏡バランサ。
【考案の詳細な説明】
【技術分野】
【０００１】
本考案は、使用者の耳を境にして前後で眼鏡の重量を釣り合わせる眼鏡バランサに関する。
【背景技術】
【０００２】
眼鏡のレンズは眼鏡フレームと比べて重いために、重心が眼鏡の前端側に位置する。したがって、眼鏡を着用したときには、眼鏡の重量のほとんどが眼鏡の鼻パッドを介して鼻筋に加わってしまう。このため、眼鏡を長時間着用したときに、鼻筋が圧迫されて、頭痛や疲労感が発生するとともに、鼻筋に鼻パッドの跡が残ってしまう。
【０００３】
特許文献１には、眼鏡フレームのテンプルに配した櫛状の把持部で眼鏡のずり落ちを防ぐことが開示されている。特許文献２には、眼鏡フレームのテンプルに配した紐状の額当てで眼鏡のずり落ちを防ぐことが開示されている。
【０００４】
特許文献３には、眼鏡フレームにおいて左右のテンプルの後端の耳掛け部に重りや鎖を取り付けて、耳を境にして前後で眼鏡の重量配分を釣り合わせることにより、鼻パッドで鼻筋が圧迫されないようにすることが開示されている。特許文献４では、眼鏡フレームの左右のテンプル間に、後頭部を回り込むように形成された補助具の両端を掛け渡して、耳を境にして前後で眼鏡の重量配分を釣り合わせている。
【０００５】
【特許文献１】特開平６−８８９４８号公報（段落番号００１５、図２）
【特許文献２】実開平７−１４１５号公報（第３図）
【特許文献３】特開平１１−１８３８５２号公報（段落番号０００４、図１・３）
【特許文献４】特開２００１−２１８４３号公報（図１）
【考案の開示】
【考案が解決しようとする課題】
【０００６】
特許文献１では、把持部を髪に引っ掛けているだけなので、眼鏡のずり落ちを確実には防ぐことができない。特許文献２では、額当てで眼鏡のずり落ちないようにしているだけなので、眼鏡のずり落ちを確実には防ぐことができないうえ、額当てが常に額に接触するために使用者に不快感を与える。
【０００７】
特許文献３では、耳掛け部を特別な形状にする必要があるために、既存の眼鏡に取り付けられない。さらに頭の後方に重りが突出するために、首を動かした際に頭が振り回されて不快感を生じさせるうえ、見栄えが悪い。特許文献４では、補助具が後頭部を回り込んでいるために、頭を車の座席などにもたせ掛ける際に補助具が邪魔になる。さらに首を動かした際に補助具の重さで頭が振り回されて不快感を生じさせるうえ、見栄えも悪い。
【０００８】
そこで本考案の目的は、既存の眼鏡にも簡単に取り付けることができながら、ファッション性に富んだ眼鏡バランサを提供することにある。
【課題を解決するための手段】
【０００９】
請求項１記載の本考案に係る眼鏡バランサは、図１や図５に示すごとく、眼鏡フレーム１の左右の各テンプル２に着脱自在に装着される左右一対の取付部材（５・１６）と、各取付部材（５・１６）にそれぞれ接続される鎖６とを含み、各テンプル２に、鎖６が各テンプル２の後端よりも後方に位置するよう取付部材（５・１６）を介して取り付けられるようにしたことを特徴とする。
【００１０】
請求項２記載の本考案に係る眼鏡バランサは、図１および図２に示すごとく、眼鏡フレーム１の各テンプル２の後端部３に着脱自在に外嵌装着される左右一対の取付部材５と、各取付部材５の後端に接続される鎖６とを含み、各取付部材５が、弾性変形可能であって、前面が開口する筒状に形成されており、各テンプル２の後端部３に、取付部材５がこれの開口前面側から押し込み装着でき、各テンプル２の後端部３に、鎖６が各テンプル２の後端よりも後方に位置する状態で、各取付部材５が取り付けられる。
【００１１】
請求項３記載の本考案は、請求項２記載の眼鏡バランサにおいて、前記鎖６が、左右一対の鎖片７に分割されていて、各鎖片７の上端が各取付部材５にそれぞれ接続されており、左右の鎖片７の下端どうしが、止め具９によって着脱自在に連結できる。
【００１２】
請求項４記載の本考案に係る眼鏡バランサは、図５に示すごとく、眼鏡フレーム１の各テンプル２に装着される左右一対の取付部材１６と、各取付部材１６にそれぞれ接続される鎖６とを含み、各取付部材１６は、テンプル２に着脱自在に取り付けられる係止部１７と、係止部１７からテンプル２の後方へ延びるアーム１９とを含み、鎖６が、アーム１９の後端に接続されている。
【００１３】
請求項５記載の本考案は、請求項４記載の眼鏡バランサにおいて、前記鎖６が、左右一対の鎖片７に分割されていて、各鎖片７の上端がアーム１９にそれぞれ接続されており、左右の鎖片７の下端どうしが、止め具９によって着脱自在に連結できる。
【００１４】
請求項３または５記載の眼鏡バランサにおいて、一方の鎖片７の下端には、装飾具１２を配することができる。
【考案の効果】
【００１５】
本考案によれば、眼鏡の着用時に、鎖６を首の前側に回しておくことで、図３に示すごとく鎖６がネックレスと同様の装飾効果を生じる。鎖６の重量が取付部材（５・１６）を介して眼鏡フレーム１の後ろ側に加わることで、使用者の耳を支点に眼鏡の前後の重量がほぼ釣り合って、眼鏡の鼻パッドが鼻筋に強く押し当たることがない。鎖６を首の前側に回しておくことで、鎖６が使用者の衣服に接触しやすくなって鎖６と衣服との間での摩擦で眼鏡の上下揺動を抑え、これによっても眼鏡の鼻パッドが鼻筋に強く押し当たることを防ぐことができる。
【００１６】
鎖６は、眼鏡フレーム１のテンプル２の後端部３よりも後方に位置するために、耳などに当たり難くなって使用者に不快感を与えることが抑えられる。
【００１７】
このうえで、本案バランサは、既存の眼鏡に簡単に装着できるので、新たに眼鏡を買い換える必要がないとともに、眼鏡を使用しないときには本案バランサを眼鏡から取り外しておくことができる。
【００１８】
鎖６が左右一対の鎖片７に分割されていると、眼鏡を耳に掛ける際に鎖６が邪魔にならず、眼鏡を容易に着用することができる。
【００１９】
鎖片７の下端に装飾具１２が配されていると、ファッション性が向上するとともに、装飾具１２の重量の分だけ鎖６に軽い素材を使うことができて、鎖６の素材の選択範囲が広がる。
【考案を実施するための最良の形態】
【００２０】
（実施例１）  図１ないし図３は、本考案に係る眼鏡バランサの実施例１を示しており、これは眼鏡フレーム１の各テンプル２の後端部３に装着できる。
【００２１】
本案バランサは、図１に示すごとく、各テンプル２の後端部３にそれぞれ着脱自在に外嵌装着される左右一対の取付部材５と、各取付部材５の後端に取り付けられる金属製の鎖６とを含む。各取付部材５は、自己保形性および弾性を有する軟質合成樹脂材で前面が開口する細長い円形の筒形状に形成されている。
【００２２】
各テンプル２の後端部３に、各取付部材５をこれの開口前面側から押し込み嵌合すると、図２に示すごとく、取付部材５の弾性復元力で取付部材５がテンプル２の後端部３に不用意には抜け外れないように密着する。その一方で、各取付部材５は、各テンプル２の後端部３から後方へ抜き外すことができる。
【００２３】
鎖６は、左右一対の鎖片７に分割されていて、各鎖片７の上端が各取付部材５の後端にそれぞれ接続されている。左右の鎖片７の下端どうしは、止め金具９（図１）によって着脱自在に連結できる（図１の仮想線図参照）。止め金具９は、一方の鎖片７の下端に設けた第１部材１０と、他方の鎖片７の下端に設けた第２部材１１とからなる。先の第２部材１１には、バラの花などを模したペンダントトップ１２が装飾具として付設されている。
【００２４】
使用者が眼鏡を着用するときには、各鎖片７の下端を首の前側に回して止め金具９で連結する。この状態で、図３に示すごとく鎖６がネックレスと同様の装飾効果を生じさせる。また、鎖６の重量が取付部材５を介して眼鏡フレーム１の後端に加わることで、使用者の耳を支点に眼鏡の前後の重量がほぼ釣り合って、眼鏡の鼻パッドが鼻筋に強く押し当たることがない。鎖６は、眼鏡フレーム１のテンプル２の後端部３よりも後方に位置するために耳と当たり難い。
【００２５】
（実施例２）  図４は本考案に係る眼鏡バランサの実施例２を示しており、鎖６が取付部材５に着脱できるようにした点が実施例１とは異なる。
【００２６】
かかる実施例２では、各取付部材５の後端部が扁平状に押し潰されているとともに、各取付部材５の後端部に透孔１３がそれぞれ設けられており、各透孔１３に、各鎖片７の上端に連結した止め金具１５を着脱自在に連結することができる。その他は、実施例１と実質的に同一である。
【００２７】
（実施例３）  図５は、本考案に係る眼鏡バランサの実施例３を示しており、眼鏡フレーム１の左右の各テンプル２に装着される左右一対の取付部材１６と、各取付部材１６の後端にそれぞれ接続される鎖６とを含む。
【００２８】
各取付部材１６は、テンプル２に着脱自在に取り付けられる係止部１７と、係止部１７からテンプル２の後方へ延びるアーム１９とを含む。鎖６は、実施例１と同様に左右一対の鎖片７・７からなる。各係止部１７は、正面視でＵ字状になっており、テンプル２を挟み込むことでテンプル２に着脱自在に取り付けることができる。各アーム１９の後端には、通孔２０を設けてあり、各通孔２０に各鎖片７の上端を接続することができる。
【００２９】
使用者が眼鏡を着用するときには、実施例１と同様に、各鎖片７の下端を首の前側に回して、両鎖片７・７の下端どうしを止め金具９で連結する。これにより、ひとつながりとなった鎖６が各取付部材５の後端間に掛け渡される。鎖６の下端の第２部材１１には、ペンダントトップ１２が装飾具として付設されている。
【００３０】
実施例３でも、鎖６がテンプル２よりも後方に位置して、使用者の耳を境にして頭の前後で眼鏡の重量がほぼ釣り合うとともに、鎖６が使用者の耳と当たり難いことになる。また、鎖６が、ネックレスと同様の装飾効果を生じさせる。
【００３１】
実施例１〜３において、鎖６は、分割せずに一本の鎖であってもよい。ペンダントトップ１２が貴金属などの重量を有する素材で形成されている場合には、鎖６は合成樹脂や紐などの軽い素材で形成していてもよい。鎖６が金属などの重量のある素材で形成されている場合には、ペンダントトップ１２は省略してもよい。
【図面の簡単な説明】
【００３２】
【図１】実施例１の眼鏡バランサの斜視図
【図２】実施例１の眼鏡バランサを示す側面図
【図３】実施例１の眼鏡バランサの使用状態を示す斜視図
【図４】実施例２の眼鏡バランサの側面図
【図５】実施例３の眼鏡バランサの側面図
【符号の説明】
【００３３】
１  眼鏡フレーム
２  テンプル
３  テンプルの後端部
５・１６  取付部材
６  鎖
７  鎖片
１２  ペンダントトップ
１７  係止部
１９  アーム
【図１】
0003108143.tif 000003
【図２】
0003108143.tif 000004
【図３】
0003108143.tif 000005
【図４】
0003108143.tif 000006
【図５】
0003108143.tif 000007